(57)【要約】      （修正有）【課題】介助における移乗に用いて便利なる、介護者用移乗具を提供する。【解決手段】柔軟性を有する素材による長方形状の主体１を設け、該主体裏面中程に垂下縫着される長尺の中央保持ベルト２を設け、該主体の上部折り返し筒状縫着部分に上部保持ベルト４を挿通して設け、主体の下部左端に下部保持ベルト左片を主体の下部右端に下部保持ベルト右片１２を各々設け、上部保持ベルト端間の係止手段を設け、双方の下部保持ベルト端間の係止手段を設け、主体裏面に握持体を設けたことを特徴とする。【選択図】図６
0003217028.tif 000002
【実用新案登録請求の範囲】
【請求項１】
柔軟性を有する素材による長方形状の主体を設け、該主体裏面中程に垂下縫着される長尺の中央保持ベルトを設け、該主体の上部折り返し筒状縫着部分に上部保持ベルトを挿通して設け、主体の下部左端に下部保持ベルト左片を主体の下部右端に下部保持ベルト右片を各々設け、上部保持ベルト端間の係止手段を設け、双方の下部保持ベルト端間の係止手段を設け、主体裏面に握持体を設けたことを特徴とする介護者用移乗具。
【請求項２】
各ベルト間の係止手段を、係止具雄片と係止具雌片の係止によるものとした請求項１記載の介護者用移乗具。
【請求項３】
各ベルト間の係止手段を、面ファスナーによるものとした請求項１記載の介護者用移乗具。
【考案の詳細な説明】
【技術分野】
【０００１】  この考案は、被介護者（以下、本人と略称する）を介護者が移乗させる場合に用いて便利なる移乗具に関する。
【背景技術】
【０００２】  上記移乗においては、介護者は本人の姿勢を変えて移乗させるために多くの労力を必要としているが、この移乗時に用いて便利なる移乗具は現在のところ見当たらない。
【考案の概要】
【考案が解決しようとする課題】
【０００３】  介護作業は現在において必須の作業である。身体の不自由な人がベッドに横になっているとき、自力では自由に動けないことも多くあり、とりわけ足が不自由で自力歩行が困難なとき、車いすの利用と介護者の助力が必要となる。このとき、移乗すなわちベッドから車いすへの身体移動もしくはその逆の移乗が必要となり、その一例を以下に示す。
１．本人の上半身を起こし、端座位すなわちベッドの端に腰をかけ、足を下ろした状態に  する。
２．介護者の肩につかまってもらい、前屈みになって立ち上がってもらう。
３．介護者は大きく足を開き、本人の前屈みに合わせて腰を低くしながら介助し、両腕を  本人の背中に回す。
４．本人がバランスを崩さないように支えながら、ゆっくり方向転換する。
５．本人に車いすのアームレストをつかんでもらい、立つときと同じく十分に前屈みにな  りながら車いすに座らせる。介護者は大きく足を開き、膝を曲げて介助する。
６．足をフットレストに置いてもらい、腰を後ろにずらして深く座ってもらう。
このような一連の作業が移乗に必要である。【０００４】  介護者は本人の体重を支えつつ自分の体を前屈状態での作業となるために体への負担は大きく、自己の腰痛の恐れを思いながらの作業となる場合が多く、また、実際に腰痛を発症する介護者も少なくないのが現状であるが、これに対する適切な手段が見当たらないのが現状である。
本案は以上に鑑み、介助における移乗に用いて便利なる、新規かつ有用なる移乗具を提供することを目的として発案したものである。
【課題を解決するための手段】
【０００５】  課題を解決する手段として本案は以下の構成とした。
すなわち、柔軟性を有する素材による長方形状の主体を設け、該主体裏面中程に垂下縫着される長尺の中央保持ベルトを設け、該主体の上部折り返し筒状縫着部分に上部保持ベルトを挿通して設け、主体の下部左端に下部保持ベルト左片を主体の下部右端に下部保持ベルト右片を各々設け、上部保持ベルト端間の係止手段を設け、双方の下部保持ベルト端間の係止手段を設け、主体裏面に握持体を設ける。
本案は以上の構成よりなる介護者用移乗具である。
【考案の効果】
【０００６】  本案によれば、本人の身体に装着し、握持体と下部保持ベルトおよび中央保持ベルトを介護者が握持することにて、本人の姿勢変更と位置移動を容易に行うことができて、ベッドと車いす間の移乗に便利なる手段を得ることができる。また、上下部のベルトおよび中央保持ベルトにて本人の体をしっかりと保持して移乗時の安全を保つことのできる有用なる物品を提供し得るものである。
【図面の簡単な説明】
【０００７】
【図１】本考案の正面図
【図２】本考案の背面図
【図３】本考案の要部拡大正面図
【図４】本考案の拡大底面図（一部略）
【図５】本考案の要部拡大背面図
【図６】本考案の使用説明図
【考案を実施するための最良の形態】
【０００８】  以下、本考案の実施形態について説明する。
図において、１は主体で、縦約３０センチメートル、横約５０センチメートル、厚さ約８ミリメートルほどの柔らかくふっくらした長方形布体である。２は中央保持ベルトで、長さ約９３センチメートル、巾約１３センチメートルの長方形長尺布体であって、その一端は上記主体裏面の中程に縫着される。３は補強ベルトで、主体表面中程に縫着される布体であって、その両端は主体両端と一致している。【０００９】  ４は主体上部の折り返し筒部分内に挿通される上部保持ベルトであり、該ベルトは主体に対しスライド可能である。５は上部保持ベルト左端に設けられる市販品による主係止具雌片である。７は該保持ベルト右端に設けられる主係止具雄片である。
前記の主係止具雌片は内部空隙を有し、主係止具雄片には複数の突片が設けられ、この突起と空隙がはまり合って係止状態となる。この突起は弾力を有し、指の押圧によって内方に弾性変形することで、この係止を解除する仕組みである。８は上部保持ベルト右片中程に設けられる略環状のベルト長調整具で、以上の雄片と雌片およびベルト長調整具は市販品である。【００１０】  １０は下部保持ベルト左片で、その一端は主体下部左端に縫着される。１１は副係止具雌片で、下部保持ベルト左端に設けられる。１２は下部保持ベルト右片で、その一端は主体下部右端に縫着される。１３は副係止具雄片で、下部保持ベルト右片中程に設けられ、この雄片は下部保持ベルト右片に対しその位置変更ができる。
この副係止具雌片は内部空隙を有し、副係止具雄片には突起が設けられ、その突起と空隙がはまり合って係止状態となり、その機能は前記の主係止具と同様であって、市販品である。なお、副係止具雄片の下部保持ベルト右片に対する位置は調整可能である。
１４は主体裏面に縫着される長方形布体による握持体で、この握持体はその両端のみが主体に縫着され、中間の非縫着部分に指を差し入れて握持することが可能である。【００１１】  次に本案の使用について説明する。本案は本人の腰部に装着して仰臥している本人の体移乗に用いるものである。まず、本品の装着を容易にするために、仰臥している本人の体を横向きにする。（寝返り状態）次に、開いた本品の主体を本人の背にあてがい、上部保持ベルト右方または左方および下部保持ベルト右片もしくは左片を本人体の下をくぐらせ体前に引き出す。
横向きの体を再び仰臥位置とし、中央保持ベルトを本人の股の間から頭側へと折り返し、上部保持ベルトの主係止具雌片に雄片を挿入固定する。同様に下部保持ベルトの双方の係止具を挿入固定する。これで本人への本品の装着が完了する。なお、中央保持ベルトは上下部双方の保持ベルトの内側に位置する。【００１２】  本人を車いすへ移乗するには、まず車いすをベッド近くにおき、車いすのブレーキをかけ、フットレストを上げておく。本人の背とベッドとの間に介護者の手を差し入れ、握持体をつかむ。介護者の他方の手で、中央保持ベルトと下部保持ベルトを同時に握持し、そのまま本人の体を持ち上げ気味にして体の方向変換をし、ベッド端に腰掛けさせる。
その状態から、介護者は本人の体を支えつつ車いすへと座らせる。これで、ベッドから車いすへの移乗が完了する。なお、その他の細部的事項は既述の従来手段に準ずる。
移乗後は所望の場所へと移動する。例えばトイレ利用のときはトイレ室内へと入り、便器に腰掛けさせる。本品は係止具を容易に解除することができるので、この解除にて本人体より本品を外して用を足すことができる。車いすからベッドへの移乗は既述と逆の手順にて容易に行うことができる。【００１３】  以上、本案について記したが、本案によれば既述のように簡単な作業にて安全確実に被介護者を移乗させることができる。従来法は、介護者は前屈みになって本人の背とベッドとの間に手と腕を差し入れ、本人の上半身を起こし、さらに本人姿勢の変更をしなければならないため、腰部への負担が大きいものであった。
しかるに本案は、握持体と中央保持ベルトおよび下部保持ベルトをつかんでの作業であるため、本人姿勢が安定するとともに、楽に本人の移乗を行うことができて、介護者の負担を軽減することができる。また、上部保持ベルトと下部保持ベルトおよび中央保持ベルトの３つで本人姿勢を安定させることができ、中央保持ベルトは長尺のため、その握る位置を変えることにて本人の体格に合わせて用いることができる。
また、本案は上部保持ベルトと下部保持ベルトの２つのベルトを用いるため、本人体に安定装着することができる。中央保持ベルトは下部保持ベルトと同時握持するが、中央保持ベルトを下から上へと折り曲げ、その先を本人下半身方向として、下部保持ベルトと同時握持することで本人体が安定する。また、中央保持ベルトは主体中程への縫着としたので、力を主体全体に伝え、かつ主体への縫着面積を広くとることができる。さらに、上部保持ベルトは主体の折り返し部分内に挿通されているので、上部保持ベルトに力が加わったとき、主体上端に均一に力が伝わって上部保持ベルトと主体との一体感を増すことができる。なお、既述の例においては布製としたが柔軟性を有する他の素材を用いてもよい。既例ではベルト間の係止に市販の係止具を用いたが、これに代えて面ファスナーを用いてもよい。以上のごとく本案によって移乗に役立つ手段を得ることができる。
【符号の説明】
【００１４】  １    主体
２    中央保持ベルト
３    補強ベルト
４    上部保持ベルト
５    主係止具雌片
７    主係止具雄片
８    ベルト長調整具
１０  下部保持ベルト左片
１１  副係止具雌片
１２  下部保持ベルト右片
１３  副係止具雄片
１４  握持体
【図１】
0003217028.tif 000003
【図２】
0003217028.tif 000004
【図３】
0003217028.tif 000005
【図４】
0003217028.tif 000006
【図５】
0003217028.tif 000007
【図６】
0003217028.tif 000008